(57)【要約】【課題】見栄えが良く、かつ、視界を向上できるとともに、アンテナエレメントの低抵抗化による高性能化を図ることができるフィルムアンテナを提供すること。【解決手段】樹脂材製のＰＥＴフィルム５１と、ＰＥＴフィルム５１のウインドウＷ側に配置された粘着剤５２と、少なくともＰＥＴフィルム５１の外周縁に沿って配置される部分を有するとともに、ＰＥＴフィルム５１のウインドウＷとは反対側の面に設けられたアンテナエレメント５３と、アンテナエレメント５３をＰＥＴフィルム５１に固定するレジスト材５４とを備え、粘着剤５２におけるＰＥＴフィルム５１の外周縁部分またはレジスト材５４におけるＰＥＴフィルム５１の外周縁部分の少なくとも一方の材料は着色不透明に形成された着色部Ｋが形成されている。【選択図】      図３
2006005916.tif 000002
【特許請求の範囲】
【請求項１】
ウインドウに取り付けられるフィルムアンテナにおいて、
樹脂材製のフィルムと、
このフィルムの上記ウインドウ側に配置された粘着剤と、
少なくとも上記フィルムの外周縁に沿って配置される部分を有するとともに、上記フィルムの上記ウインドウとは反対側の面に設けられたアンテナエレメントと、
このアンテナエレメントを上記フィルムに固定するレジスト材とを備え、
上記フィルムの外周縁部分、上記フィルムの外周縁部分に対応する上記粘着剤、上記レジスト材のうち少なくとも一つの材料には着色部が形成されていることを特徴とするフィルムアンテナ。
【請求項２】
ウインドウに取り付けられるフィルムアンテナにおいて、
樹脂材製のフィルムと、
このフィルムの上記ウインドウ側に配置された粘着剤と、
少なくとも上記フィルムの外周縁に沿って配置される部分を有するとともに、上記フィルムの上記ウインドウとは反対側の面に設けられたアンテナエレメントと、
このアンテナエレメントの上記ウインドウ側及び上記ウインドウと反対側に配置されたレジスト材とを備え、
上記フィルムの外周縁部分に対応する上記レジスト材には着色部が形成されていることを特徴とするフィルムアンテナ。
【請求項３】
ウインドウに取り付けられるフィルムアンテナにおいて、
樹脂材製のフィルムと、
このフィルムの上記ウインドウ側に配置された粘着剤と、
少なくとも上記フィルムの外周縁に沿って配置される部分を有するとともに、上記フィルムの上記ウインドウとは反対側の面に設けられたアンテナエレメントと、
このアンテナエレメントの上記ウインドウと反対側に配置されたレジスト材とを備え、
上記フィルムの外周縁部分、または、上記フィルムの外周縁部分に対応する上記粘着剤のうち少なくとも一方の材料、及び、上記レジスト材には着色部が形成されていることを特徴とするフィルムアンテナ。
【請求項４】
上記フィルムは１又は複数の環状部を有することを特徴とする請求項１〜３いずれか記載のフィルムアンテナ。
【請求項５】
上記着色部の幅は、１ｍｍ以下であることを特徴とする請求項１〜４いずれか記載のフィルムアンテナ。
【請求項６】
上記レジスト材は、上記アンテナエレメントの両側壁に面して設けられていることを特徴とする請求項１〜５いずれか記載のフィルムアンテナ。
【発明の詳細な説明】
【技術分野】
【０００１】
本発明は、効率よく受信することができる車両用のフィルムアンテナに関し、特に見栄えが良く、かつ、視界を向上できるものに関する。
【背景技術】
【０００２】
車両用のアンテナの１つとしてフィルムアンテナが知られている。このアンテナは、線状のアンテナエレメントと長尺状の透明ＰＥＴフィルムとを組み合せて構成されており、例えば自動車のフロントガラスの一部に貼り付けて用いられる（例えば特許文献１〜４参照）。透明ＰＥＴフィルムは、視認性や見栄えを考慮して、透過率の高いタイプが使用されている。
【０００３】
透明ＰＥＴフィルムの幅は、ガラス面の接着強度を十分に確保するために幅５〜６ｍｍ程度であり、アンテナエレメントの幅も見栄えを向上させるために０．２５ｍｍ幅以下のものを使用していた。
【特許文献１】特開２００３−２２４４１１号公報
【特許文献２】実用新案登録第３０９８９９７号公報
【特許文献３】特開２００１−１５６５２２号公報
【特許文献４】特開平７−１２２９２０号公報
【発明の開示】
【発明が解決しようとする課題】
【０００４】
上述したフィルムアンテナであると次のような問題があった。すなわち、透明ＰＥＴフィルムは２５μｍ程度の厚みがあるため、運転手がフィルムアンテナを斜め方向から見ると透明ＰＥＴフィルムの側端面が見えることになる。透明ＰＥＴフィルムの屈折率は、フロントガラスの屈折率と異なっているため、フィルムが透明であってもフィルムの側端面において屈折率の変化による歪みが発生し、見栄え及び視界が良くないという問題があった。また、アンテナエレメントの幅が不足し低抵抗化による性能向上を図れないという問題もあった。
【０００５】
そこで本発明は、見栄えが良く、かつ、視界を向上できるとともに、アンテナエレメントの低抵抗化による高性能化を図ることができるフィルムアンテナを提供することを目的としている。
【課題を解決するための手段】
【０００６】
上記課題を解決し目的を達成するために、本発明のフィルムアンテナは次のように構成されている。
【０００７】
（１）ウインドウに取り付けられるフィルムアンテナにおいて、樹脂材製のフィルムと、このフィルムの上記ウインドウ側に配置された粘着剤と、少なくとも上記フィルムの外周縁に沿って配置される部分を有するとともに、上記フィルムの上記ウインドウとは反対側の面に設けられたアンテナエレメントと、このアンテナエレメントを上記フィルムに固定するレジスト材とを備え、上記フィルムの外周縁部分、上記フィルムの外周縁部分に対応する上記粘着剤、上記レジスト材のうち少なくとも一つの材料には着色部が形成されていることを特徴とする。
【０００８】
（２）ウインドウに取り付けられるフィルムアンテナにおいて、樹脂材製のフィルムと、このフィルムの上記ウインドウ側に配置された粘着剤と、少なくとも上記フィルムの外周縁に沿って配置される部分を有するとともに、上記フィルムの上記ウインドウとは反対側の面に設けられたアンテナエレメントと、このアンテナエレメントの上記ウインドウ側及び上記ウインドウと反対側に配置されたレジスト材とを備え、上記フィルムの外周縁部分に対応する上記レジスト材には着色部が形成されていることを特徴とする。
【０００９】
（３）ウインドウに取り付けられるフィルムアンテナにおいて、樹脂材製のフィルムと、このフィルムの上記ウインドウ側に配置された粘着剤と、少なくとも上記フィルムの外周縁に沿って配置される部分を有するとともに、上記フィルムの上記ウインドウとは反対側の面に設けられたアンテナエレメントと、このアンテナエレメントの上記ウインドウと反対側に配置されたレジスト材とを備え、上記フィルムの外周縁部分、または、上記フィルムの外周縁部分に対応する上記粘着剤のうち少なくとも一方の材料、及び、上記レジスト材には着色部が形成されていることを特徴とする。
【００１０】
（４）上記（１）〜（３）に記載されたフィルムアンテナにおいて、上記フィルムは１又は複数の環状部を有することを特徴とする。
【００１１】
（５）上記（１）〜（４）に記載されたフィルムアンテナにおいて、上記着色部の幅は、１ｍｍ以下であることを特徴とする。
【００１２】
（６）上記（１）〜（５）に記載されたフィルムアンテナにおいて、上記レジスト材は、上記アンテナエレメントの両側壁に面して設けられていることを特徴とする。
【発明の効果】
【００１３】
本発明によれば、見栄えが良く、かつ、視界を向上できるとともに、アンテナエレメントの低抵抗化による高性能化を図ることが可能となる。
【発明を実施するための最良の形態】
【００１４】
図１は本発明の第１の実施の形態に係るフィルムアンテナ５０がウインドウＷの室内側に貼られた車両Ｂ（乗用車）を示す斜視図、図２はフィルムアンテナ５０の全体を示す平面図、図３はフィルムアンテナ５０を図２中Ｑ−Ｑ線で切断して示す断面図、図４はフィルムアンテナ５０を図２中Ｒ−Ｒ線で切断して示す断面図である。
【００１５】
フィルムアンテナ５０は、図３に示すように、矩形状のＰＥＴフィルム５１と、このＰＥＴフィルム５１のウインドウＷ側に配置された粘着剤５２と、ＰＥＴフィルム５１のウインドウＷとは反対側の面に設けられたＡｇペーストからなるアンテナエレメント５３と、このアンテナエレメント５３をＰＥＴフィルム５１に固定するＳｉＯ２等のレジスト材５４とを備えている。ここで、固定とは、レジスト材５４が、ＰＥＴフィルム５１とアンテナエレメント５３とのそれぞれに接して配置されることで、両者を相互に繋ぎ止めることを意味している。なお、ＰＥＴフィルム５１は無色透明であるが、粘着剤５２の周縁部５２ａ及びレジスト材５４は、黒色不透明に着色され、着色部Ｋが形成されている。
【００１６】
一方、図４に示すように、アンテナエレメント５３が設けられていない部分は、ＰＥＴフィルム５１が粘着剤５２の周縁部５２ａ及びレジスト材５４に挟まれ、着色部Ｋが形成されている。したがって、アンテナエレメント５３が無い分だけ段差はできるが、上述したアンテナエレメント５３がある部分と外見上の一体感がある。
【００１７】
ＰＥＴフィルム５１は例えば５×１０ｃｍ、アンテナエレメント５３の幅は例えば０．７５ｍｍ程度に形成されている。なお、アンテナエレメント５３の幅は、視認性や見栄えを考慮して、１．０ｍｍ以下、好ましくは０．５ｍｍ以下とする。また、フィルムアンテナ５０の各構成要素は、印刷に適した材質であるため印刷によって形成されている。
【００１８】
このように構成されたフィルムアンテナ５０によれば、運転手がフィルムアンテナ５０を通してウインドウＷを見た場合、ＰＥＴフィルム５１の側面端が見えても粘着剤５２の周縁部５２ａ及びレジスト材５４が黒色不透明な着色部Ｋとなっているため、フィルムアンテナ５０の境界部分が黒色の１本の線になって視覚されることになる。これにより、フィルム部分とガラス部分の屈折率の相違に起因する歪みが気になり難くなるという効果がある。このため、見栄えが良く、かつ、視界を向上できる。
【００１９】
さらに、アンテナエレメント５４の両側壁がレジスト材５４により封止されることで、金属色が露出せず、チラツキを防止することが可能となる。
【００２０】
一方、アンテナエレメント５３も着色部Ｋにより視覚され難くなる、すなわち黒色のような暗い不透明な部分は視野の中に溶け込むため、着色部Ｋとほぼ同じ幅を確保しても気にならず、低抵抗化を図ることができる。このため、アンテナ性能を向上させることができる。
【００２１】
なお、ＰＥＴフィルム５１を矩形状に形成することにより、線状のフィルムを用いた場合に比べて剥がれにくく、また、ウインドウＷへ高精度に位置決めして取り付けることが可能である。一方、フィルムアンテナ５０をウインドウＷに貼着する作業は、次のような工程で行われる。すなわち、フィルムアンテナ５０は、保存状態においては、粘着剤５２側には離型紙、レジスト材５４側には剥離紙が軽粘着している。最初に、離型紙を剥がし、粘着剤５２をウインドウＷに貼り付け、フィルムアンテナ５０全体を位置決めする。次に、剥離紙を剥がす。このとき、線状のフィルムであった場合、レジスト材５４に剥離紙からの粘着力が一点に集中し、フィルムの端部がめくれる虞がある。上述したフィルムアンテナ５０は、ＰＥＴフィルム５１が矩形状であるため、剥離紙からの粘着力が分散し、その端部がめくれることを防止することができる。
【００２２】
さらに、フィルムアンテナ５０の各構成要素は、印刷に適した材質であるため印刷によって形成されている。印刷であるため、低コストで製造できる。
【００２３】
なお、上述した例では、ＰＥＴフィルム５１を透明、粘着剤５２の周縁部５２ａ及びレジスト材５４を黒色としたが、粘着剤５２の周縁部５２ａ及びレジスト材５４の一方を不透明にすることで、同様の効果を得ることができる。さらに、粘着剤５２の周縁部５２ａ、アンテナエレメント５３、レジスト材５４の３つを全て黒色にすることが好ましい。さらに、不透明な暗い色であれば、赤色であってもよく、車両Ｂの色に合わせて着色するようにしてもよい。
【００２４】
また、レジスト材５４は、ＳｉＯ２の他、硬化性樹脂、感光性樹脂、顔料を含む塗料でもよい。さらに、ＰＥＴフィルム５１への化学的影響が無く、アンテナエレメント５３及びＰＥＴフィルム５１に対して十分な固着性を有していることが好ましい。なお、硬化性樹脂であれば、硬く、かつ、硬化時間を短縮できる利点がある。
【００２５】
図５は本発明の第２の実施の形態に係るフィルムアンテナ１０の全体を示す平面図、図６はフィルムアンテナ１０を図５中Ｐ−Ｐ線で切断して示す断面図である。フィルムアンテナ１０は、上述したフィルムアンテナ５０と同様の位置に配置されるものである。
【００２６】
フィルムアンテナ１０は、長尺状のＰＥＴフィルム１１と、このＰＥＴフィルム１１のウインドウＷ側に配置された粘着剤１２と、ＰＥＴフィルム１１のウインドウＷとは反対側の面に設けられたＡｇペーストからなるアンテナエレメント１３と、このアンテナエレメント１３をＰＥＴフィルム１１に固定するＳｉＯ２等のレジスト材１４とを備えている。なお、ＰＥＴフィルム１１は無色透明であるが、粘着剤１２及びレジスト材１４は、黒色不透明に着色されている。
【００２７】
なお、アンテナエレメント１３の幅は、視認性や見栄えを考慮して、１．０ｍｍ以下、好ましくは０．５ｍｍ以下とする。また、フィルムアンテナ１０の各構成要素は、印刷に適した材質であるため印刷によって形成されている。印刷であるため、低コストで製造できる。
【００２８】
このように構成されたフィルムアンテナ１０によれば、運転手がフィルムアンテナ１０を通してウインドウＷを見た場合、ＰＥＴフィルム１１の両側面端が見えても粘着剤１２及びレジスト材１４が黒色不透明な着色部Ｋとなっているため、フィルムアンテナ１０の境界部分が黒色の１本の線になって視覚されることになる。これにより、フィルム部分とガラス部分の屈折率の相違に起因する歪みが気になり難くなるという効果がある。このため、見栄えが良く、かつ、視界を向上できる。一方、アンテナエレメント１３の幅は視界に影響しないため、０．５〜０．７５ｍｍ程度の幅を確保することができ、低抵抗化を図ることができる。このため、アンテナ性能を向上させることができる。
【００２９】
さらに、アンテナエレメント１３の両側壁がレジスト材１４により封止されることで、金属色が露出せず、チラツキを防止することが可能となる。
【００３０】
また、ＰＥＴフィルム１１を環状に形成することにより、剥がれにくく、また、高精度に位置決めすることが可能である。一方、フィルムアンテナ１０をウインドウＷに貼着する作業は、次のような工程で行われる。すなわち、フィルムアンテナ１０は、保存状態においては、粘着剤１２側には離型紙、レジスト材１４側には剥離紙が軽粘着している。最初に、離型紙を剥がし、粘着剤１２をウインドウＷに貼り付け、フィルムアンテナ１０全体を位置決めする。次に、剥離紙を剥がす。このとき、線状のフィルムであった場合、レジスト材１４に剥離紙からの粘着力が一点に集中し、フィルムの端部がめくれる虞がある。上述したフィルムアンテナ１０は、ＰＥＴフィルム１１が環状すなわち連続状であるため、剥離紙からの粘着力が分散し、その端部がめくれることを防止することができる。
【００３１】
なお、ＰＥＴ１１フィルムは全て連続である必要はなく、例えば、最初に剥離する側でなければ、めくれる可能性は低くなる。すなわち、ＰＥＴ１１フィルム１１の形状に合わせて剥離紙を最初にめくる方向を設定すればよい。
【００３２】
さらに、ガラス飛散防止効果を得ることができる。なお、環状部は複数設けてもよい。
【００３３】
なお、上述した例では、ＰＥＴフィルム１１を透明、粘着剤１２及びレジスト材１４を黒色としたが、ＰＥＴフィルム１１、粘着剤１２及びレジスト材１４の少なくとも１つを不透明にすることで、同様の効果を得ることができる。
【００３４】
図７はフィルムアンテナ１０の第１の変形例に係るフィルムアンテナ２０を示す断面図である。フィルムアンテナ２０は、長尺状のＰＥＴフィルム２１と、このＰＥＴフィルム２１のウインドウＷ側に配置されたアンテナエレメント２２と、このアンテナエレメント２２をＰＥＴフィルム２１に固定するとともに、ＰＥＴフィルム２１をウインドウＷに固定する粘着剤２３とを備えている。なお、ＰＥＴフィルム２１は無色透明であるが、粘着剤２３は、黒色不透明に着色されている。
【００３５】
ＰＥＴフィルム２１の幅は例えば０．９５ｍｍ、アンテナエレメント２２の幅は例えば０．７５ｍｍ程度に形成されている。また、フィルムアンテナ２０の各構成要素は、印刷に適した材質であるため印刷によって形成されている。
【００３６】
このように構成されたフィルムアンテナ２０によれば、上述したフィルムアンテナ１０と同様の効果を得ることができる。
【００３７】
図８はフィルムアンテナ１０の第２の変形例に係るフィルムアンテナ３０を示す断面図である。フィルムアンテナ３０は、長尺状のＰＥＴフィルム３１と、このＰＥＴフィルム３１のウインドウＷ側に配置されたアンテナエレメント３２と、このアンテナエレメント３２をＰＥＴフィルム３１に固定するレジスト材３３とを備えている。アンテナエレメント３２及びレジスト材３３のウインドウＷ側には粘着剤３４が配置されている。なお、ＰＥＴフィルム３１は無色透明であるが、レジスト材３３及び粘着剤３４は、黒色不透明に着色されている。
【００３８】
ＰＥＴフィルム３１の幅は例えば０．９５ｍｍ、アンテナエレメント３２の幅は例えば０．７５ｍｍ程度に形成されている。また、フィルムアンテナ３０の各構成要素は、印刷に適した材質であるため印刷によって形成されている。
【００３９】
このように構成されたフィルムアンテナ３０によれば、上述したフィルムアンテナ１０と同様の効果を得ることができる。
【００４０】
図９はフィルムアンテナ１０の第３の変形例に係るフィルムアンテナ４０を示す断面図である。フィルムアンテナ４０は、長尺状のＰＥＴフィルム４１と、このＰＥＴフィルム４１のウインドウＷ側に配置されたレジスト材４２が配置され、粘着剤４３によってウインドウＷに接着されている。また、ＰＥＴフィルム４１上にはアンテナエレメント４４が配置され、さらにその上にレジスト材４５が配置されている。なお、ＰＥＴフィルム４１及び粘着剤４３は無色透明であるが、レジスト材４２，４５は、黒色不透明に着色されている。
【００４１】
一方、アンテナエレメント４４が設けられていない部分（図５中Ｓ−Ｓ線）は、ＰＥＴフィルム４１が粘着剤５２がレジスト材４２，４５に挟まれ、着色部Ｋが形成されている。したがって、アンテナエレメント４４が無い分だけ段差はできるが、上述したアンテナエレメント４４がある部分と外見上の一体感がある。
【００４２】
ＰＥＴフィルム４１及びアンテナエレメント４４の幅は例えば０．９５ｍｍ程度に形成されている。また、フィルムアンテナ４０の各構成要素は、印刷に適した材質であるため印刷によって形成されている。
【００４３】
このように構成されたフィルムアンテナ４０によれば、運転手がフィルムアンテナ４０を通してウインドウＷを見た場合、アンテナエレメント４４の両側面端が露出していても、黒色不透明な着色部Ｋであるレジスト材４２，４５に挟まれた位置にあるため、フィルムアンテナ４０の境界部分が黒色の１本の線になって視覚されることになる。これにより、上述したフィルムアンテナ１０と同様の効果を得ることができる。
【００４４】
さらに、アンテナエレメント４４の幅を広げることができるため、電波の受信面積が広がり、アンテナ性能を向上させることができる。また、色の調整、調合剤の選定等に手間がかかるＰＥＴフィルム４１や粘着剤４３に着色する必要が無いため、既存品を用いることができ、製造コストを低減することができる。
【００４５】
なお、レジスト材４２，４５の配置位置は、図９のものに限られず、例えば、レジスト材４２がＰＥＴフィルム４１とアンテナエレメント４４の間に配置されるようにしてもよい。
【００４６】
また、室外側のレジスト材４５の着色と、室内側のレジスト材４２の着色を異なる色にしてもよい。これにより、車両Ｂの内外装の色に応じて、室内からは視覚に入りにくい色、室外から視覚に入りにくい色と使い分けが容易にできる。
【００４７】
なお、本発明は上記実施の形態に限定されるものではない。すなわち、上述した実施の形態では、アンテナエレメントとしてＡｇ材を用いたが、Ｃｕ材でも構わない。また、Ａｇ材をペースト状にしたものを使用したが、金属ワイヤでも構わない。さらに、ウインドウＷとしてフロントウインドウを例示したが、サイドウインドウ、リアウインドウでも構わない。この他、本発明の要旨を逸脱しない範囲で種々変形実施可能であるのは勿論である。
【図面の簡単な説明】
【００４８】
【図１】本発明の第１の実施の形態に係るフィルムアンテナが装着された車両を示す斜視図。
【図２】同フィルムアンテナの全体を示す平面図。
【図３】同フィルムアンテナを図２中Ｑ−Ｑ線で切断し矢印方向に見た断面図。
【図４】同フィルムアンテナを図２中Ｒ−Ｒ線で切断し矢印方向に見た断面図。
【図５】本発明の第２の実施の形態に係るフィルムアンテナの全体を示す平面図。
【図６】同フィルムアンテナを図５中Ｐ−Ｐ線で切断し矢印方向に見た断面図。
【図７】同フィルムアンテナの第１の変形例に係るフィルムアンテナを示す断面図。
【図８】同フィルムアンテナの第２の変形例に係るフィルムアンテナを示す断面図。
【図９】同フィルムアンテナの第３の変形例に係るフィルムアンテナを示す断面図。
【符号の説明】
【００４９】
１０，２０，３０，４０，５０…フィルムアンテナ、１１，２１，３１，４１，５１…ＰＥＴフィルム、１２，２３，３４，４２，５２…粘着剤、１３，２２，３２，４４，５３…アンテナエレメント、１４，３３，４３，４５，５４…レジスト材、Ｋ…着色部、Ｗ…ウインドウ、Ｂ…車両。
【図１】
2006005916.tif 000003
【図２】
2006005916.tif 000004
【図３】
2006005916.tif 000005
【図４】
2006005916.tif 000006
【図５】
2006005916.tif 000007
【図６】
2006005916.tif 000008
【図７】
2006005916.tif 000009
【図８】
2006005916.tif 000010
【図９】
2006005916.tif 000011